(57)【要約】【課題】  マルチ編成コンテンツを構成する少なくとも一つのチャンネルのコンテンツのデータを消去することによって、蓄積部の空き容量を増やすことができる録画装置およびその制御方法を提供する。【解決手段】  本発明の録画装置１００では、蓄積部１０６にパーシャルＴＳ化された録画対象の番組コンテンツが蓄積される。蓄積部１０６の残容量が足りない場合、制御部１０８は、蓄積部１０６に蓄積された番組コンテンツの中からマルチ編成コンテンツを検索し、一つのマルチ編成コンテンツを選択する。パケット抽出／チャンネル消去部１０４は、メインチャンネルに対応するＴＳパケットをマルチ編成コンテンツのパーシャルＴＳから抽出し、サブチャンネルに対応する不要なデータを消去する。【選択図】  図１
2010124221.tif 000002
【特許請求の範囲】
【請求項１】
放送信号で送信される番組コンテンツを録画する録画装置であって、
録画した番組コンテンツのデータを蓄積する蓄積部と、
前記蓄積部内の複数の番組コンテンツの中から、複数のチャンネルで同じ時間帯に放送され、かつ互いに関連する複数のコンテンツで構成されるマルチ編成コンテンツを選択する選択手段と、
前記選択手段により選択された前記マルチ編成コンテンツを構成する少なくとも一つのチャンネルのコンテンツのデータを前記蓄積部から消去する消去手段と、を備える録画装置。
【請求項２】
さらに、前記蓄積部の残容量を管理する管理手段を備え、
前記選択手段は、前記蓄積部の残容量が足りなくなった場合に、前記蓄積部内の複数の番組コンテンツの中から前記マルチ編成コンテンツを検索して、少なくとも一つの前記マルチ編成コンテンツを選択することを特徴とする請求項１に記載の録画装置。
【請求項３】
さらに、前記蓄積部の残容量を管理する管理手段を備え、
前記選択手段は、前記蓄積部の残容量が足りなくなった場合に、前記蓄積部内の複数の番組コンテンツの中から、ユーザに指定された前記マルチ編成コンテンツを選択することを特徴とする請求項１に記載の録画装置。
【請求項４】
前記消去手段は、前記マルチ編成コンテンツを構成するメインチャンネルのコンテンツとサブチャンネルのコンテンツうち、サブチャンネルのコンテンツのデータを前記蓄積部から消去することを特徴とする請求項１から請求項３までのいずれか１項に記載の録画装置。
【請求項５】
前記消去手段は、前記マルチ編成コンテンツを構成する複数のチャンネルのコンテンツのうち、ユーザに指定されたチャンネルのコンテンツのデータを前記蓄積部から消去することを特徴とする請求項１から請求項３までのいずれか１項に記載の録画装置。
【請求項６】
前記消去手段は、前記マルチ編成コンテンツを構成する複数のチャンネルのコンテンツのうち、ユーザの嗜好度の低いチャンネルのコンテンツのデータを前記蓄積部から消去することを特徴とする請求項１から請求項３までのいずれか１項に記載の録画装置。
【請求項７】
前記選択手段は、前記蓄積部内に前記マルチ編成コンテンツが複数ある場合、複数の前記マルチ編成コンテンツのうち放送日時の古いマルチ編成コンテンツを選択することを特徴とする請求項１に記載の録画装置。
【請求項８】
前記選択手段は、前記蓄積部内に前記マルチ編成コンテンツが複数ある場合、複数の前記マルチ編成コンテンツのうちユーザによって指定されたマルチ編成コンテンツを選択することを特徴とする請求項１に記載の録画装置。
【請求項９】
放送信号で送信される番組コンテンツを録画する録画装置の制御方法であって、
録画した番組コンテンツのデータを蓄積部に蓄積する蓄積ステップと、
前記蓄積部内の複数の番組コンテンツの中から、複数のチャンネルで同じ時間帯に放送され、かつ互いに関連する複数のコンテンツで構成されるマルチ編成コンテンツを選択する選択ステップと、
前記選択ステップで選択された前記マルチ編成コンテンツを構成する少なくとも一つのチャンネルのコンテンツのデータを前記蓄積部から消去する消去ステップと、を有する録画装置の制御方法。
【発明の詳細な説明】
【技術分野】
【０００１】
本発明は、放送信号で送信されるコンテンツを録画する録画装置およびその制御方法に関する。
【背景技術】
【０００２】
近年、デジタル放送の番組コンテンツをハードディスク（ＨＤＤ：Ｈａｒｄ  ｄｉｓｋ  Ｄｒｉｖｅ）や光ディスク（ＤＶＤ：Ｄｉｇｉｔａｌ  Ｖｉｄｅｏ  ｄｉｓｋ等）に記録することができる録画装置が普及してきている。デジタル放送に対応した録画装置は、従来のアナログ形式で磁気テープに記録する録画方式とは異なり、映像・音声以外の付加情報も記録することができる。
【０００３】
日本におけるデジタル放送では、同じ番組（サービス）内で、視聴者が３種類のアングルの映像から好きなアングルの映像を自由に選択できるマルチビュー放送も視聴可能である。以下、複数のチャンネルで同じ時間帯に放送され、かつ互いに関連する複数のコンテンツで構成される番組コンテンツをマルチ編成コンテンツと称する。標準（ＳＤ：Ｓｔａｎｄａｒｄ  Ｄｅｆｉｎｉｔｉｏｎ）画質の３つのチャンネルのコンテンツで編成されるマルチ編成コンテンツを同時に録画することができる録画装置も販売されている。今後は、デジタル放送の普及に伴いマルチビュー放送の番組コンテンツも増加していくと予想される。
【０００４】
ここで、ハードディスクを内蔵した録画装置において、空き容量が足りなくなった場合に、最も古いデータを削除する方法や、再生済みのデータを削除候補として提示する方法が従来から提案されている。
【０００５】
また、下記の特許文献１には、番組の内容（ジャンル）に合わせて適切な保存期間を設定し、保存期間を過ぎた情報の記録領域を消去可能な領域とすることが開示されている。
【０００６】
また、下記の特許文献２には、記録済みの番組コンテンツを低いビットレートを変更して再記録することにより、必要な空き容量を確保する方法が開示されている。
【特許文献１】特開平１０―２２２９６３号公報
【特許文献２】特開２００２−１７１４８５号公報
【発明の開示】
【発明が解決しようとする課題】
【０００７】
マルチ編成コンテンツは、複数チャンネルの映像をマルチビュー表示して同時に視聴したり、ユーザが視聴したいチャンネルの映像を自由に選択して視聴することができる。ここで、メインチャンネルのコンテンツとサブチャンネルのコンテンツで編成されるマルチ編成コンテンツの場合、番組の内容によってはメインチャンネルのみの視聴で十分に楽しむことができることもある。このような場合、録画済みのマルチ編成コンテンツを構成する不要なサブチャンネルのコンテンツのデータを消去すると、録画装置の空き容量を増やすことができる。
【０００８】
ところが、上述した従来の技術では、録画装置の空き容量を増やすために、録画済みのマルチ編成コンテンツを構成する少なくとも一つのチャンネルのコンテンツのデータを消去するような方法は提案されていなかった。
【０００９】
そこで、本発明は、マルチ編成コンテンツを構成する少なくとも一つのチャンネルのコンテンツのデータを消去することによって、蓄積部の空き容量を増やすことができる録画装置およびその制御方法を提供することを目的とする。
【課題を解決するための手段】
【００１０】
上述した課題を解決するために、本発明に係る録画装置は、放送信号で送信される番組コンテンツを録画する録画装置であって、録画した番組コンテンツのデータを蓄積する蓄積部と、前記蓄積部内の複数の番組コンテンツの中から、複数のチャンネルで同じ時間帯に放送され、かつ互いに関連する複数のコンテンツで構成されるマルチ編成コンテンツを選択する選択手段と、前記選択手段により選択された前記マルチ編成コンテンツを構成する少なくとも一つのチャンネルのコンテンツのデータを前記蓄積部から消去する消去手段と、を備える。
【００１１】
また、本発明に係る録画装置の制御方法は、放送信号で送信される番組コンテンツを録画する録画装置の制御方法であって、録画した番組コンテンツのデータを蓄積部に蓄積する蓄積ステップと、前記蓄積部内の複数の番組コンテンツの中から、複数のチャンネルで同じ時間帯に放送され、かつ互いに関連する複数のコンテンツで構成されるマルチ編成コンテンツを選択する選択ステップと、前記選択ステップで選択された前記マルチ編成コンテンツを構成する少なくとも一つのチャンネルのコンテンツのデータを前記蓄積部から消去する消去ステップと、を有する。
【発明の効果】
【００１２】
本発明によれば、マルチ編成コンテンツを構成する少なくとも一つチャンネルのコンテンツのデータを消去することによって、蓄積部の空き容量を増やすことが可能となる。
【発明を実施するための最良の形態】
【００１３】
以下、図面を用いて本発明の実施の形態について説明する。
【００１４】
（実施の形態１）
図１は、本発明の実施の形態１に係る録画装置１００の概略構成を示すブロック図である。録画装置１００は、受信部１０１と、ストリーム情報抽出部１０２と、ストリーム情報解析部１０３と、パケット抽出／チャンネル消去部１０４と、録画用ストリーム作成部１０５と、蓄積部１０６と、リモコン受光部１０７と、制御部１０８と、管理部１０９とを備える。
【００１５】
リモコン受光部１０７は、リモコンからの信号を受信し、ユーザからの指示を受け付ける。制御部１０８は、各機能ブロックの制御を行う。ユーザがリモコンを操作してある放送番組の録画または録画予約を指示した場合、制御部１０８は、録画対象の放送番組を録画して蓄積部１０６に蓄積するように、各機能ブロックの制御を行う。
【００１６】
受信部１０１は、地上波デジタル放送や、ＢＳ（Ｂｒｏａｄｃａｓｔｉｎｇ  Ｓａｔｅｌｌｉｔｅ）デジタル放送、ＣＳ（Ｃｏｍｍｕｎｉｃａｔｉｏｎ  Ｓａｔｅｌｌｉｔｅ）デジタル放送などのデジタル放送信号を受信し、指定されたチャンネルを選局する。そして、復調処理および誤り訂正処理を行って、ＭＰＥＧ（Ｍｏｔｉｏｎ  Ｐｉｃｔｕｒｅ  Ｅｘｐｅｒｔｓ  Ｇｒｏｕｐ）２−ＴＳ（Ｔｒａｎｓｐｏｒｔ  Ｓｔｒｅａｍ）を生成する。
【００１７】
ストリーム情報抽出部１０２は、受信部１０１から出力されるＭＰＥＧ２−ＴＳから、ＴＳパケットのＴＳヘッダ情報およびセクション情報を抽出する。ＴＳヘッダ情報には、ＴＳパケットの識別子であるＰＩＤ（Ｐａｃｋｅｔ  Ｉｄｅｎｔｉｆｉｅｒ）が含まれる。セクション情報には、番組名、放送日時、番組内容等、番組に関する情報が記述されたＥＩＴ（Ｅｖｅｎｔ  Ｉｎｆｏｒｍａｔｉｏｎ  Ｔａｂｌｅ）と呼ばれるテーブルが含まれる。複数のチャンネルで同じ時間帯に放送され、かつ互いに関連する複数のコンテンツで構成されるマルチ編成コンテンツの場合、ＥＩＴのコンポーネントグループ記述子に“コンポーネントグループタイプ＝０００”が記述される。また、セクション情報には、番組を構成する映像データや音声データ等の各符号化信号（ＥＳ：Ｅｌｅｍｅｎｔａｌ  Ｓｔｒｅａｍ）のＰＩＤが記述されたＰＭＴ（Ｐｒｏｇｒａｍ  Ｍａｐ  Ｔａｂｌｅ）と呼ばれるテーブルが含まれる。
【００１８】
ストリーム情報解析部１０３は、ストリーム情報抽出部１０２により抽出されたＴＳヘッダ情報およびセクション情報を解析し、録画対象のＴＳパケットを特定する。録画対象の番組に関する情報は、制御部１０８からストリーム情報解析部１０３へ通知される。３つのチャンネルのコンテンツで編成されるマルチ編成コンテンツを録画する場合は、３つのチャンネルに対応するＰＭＴが必要となる。
【００１９】
図２は、マルチ編成コンテンツのＰＭＴの一例を示す図である。３ｃｈと４ｃｈと５ｃｈの３つのチャンネルのコンテンツで編成されるマルチ編成コンテンツの場合、各チャンネルのＰＭＴには、ＰＭＴ＿ＰＩＤ、ＥＳ種類、ＥＳ＿ＰＩＤが記述されている。例えば、３ｃｈのＰＭＴ＿ＰＩＤは“０ｘ１００２”、ＥＳ種類は“Ｖｉｄｅｏ２”  “Ａｕｄｉｏ２”  “Ａｕｄｉｏ３”  “字幕２”、ＥＳ＿ＰＩＤは“０ｘ１６２”  “０ｘ２３１”  “０ｘ２３２”  “０ｘ５１１”となっている。なお、各ＰＭＴのＰＩＤを示すＰＭＴ＿ＩＤは、ＰＡＴ（Ｐｒｏｇｒａｍ  Ａｓｓｏｃｉａｔｉｏｎ  Ｔａｂｌｅ）により間接的に指定される。
【００２０】
パケット抽出／チャンネル消去部１０４は、ストリーム情報解析部１０３により特定された録画対象のＴＳパケットをＭＰＥＧ２−ＴＳから抽出する。このとき、録画用ストリーム作成部１０５は、抽出された録画対象のＴＳパケットを多重化してパーシャルＴＳを生成する。パーシャルＴＳは、ＭＰＥＧ２−ＴＳのＴＳパケット群の中から録画対象の番組コンテンツに関係しないＴＳパケットが取り除かれたものである。パーシャルＴＳを生成する際、ＥＩＴはＳＩＴ（Ｓｅｌｅｃｔｉｏｎ  Ｉｎｆｏｒｍａｔｉｏｎ  Ｔａｂｌｅ）に変換される。ＰＭＴは変換されない。また、必要に応じて、ストリームの不連続情報を示すＤＩＴ（Ｄｉｓｃｏｎｔｉｎｕｉｔｙ  Ｉｎｆｏｒｍａｔｉｏｎ  Ｔａｂｌｅ）を含むＴＳパケットが追加される。
【００２１】
蓄積部１０６は、ハードディスク等の記録媒体であって、パーシャルＴＳ化された録画対象の番組コンテンツのデータが蓄積される。管理部１０９は、蓄積部１０６に蓄積されている番組コンテンツの容量、および蓄積部１０６の残容量を管理する。
【００２２】
ここで、ある放送番組の録画または録画予約を実行する際に、蓄積部１０６の残容量が足りない場合が発生し得る。このような場合、制御部１０８は、蓄積部１０６の残容量を増やすための処理を実行する。
【００２３】
図３は、蓄積部の残容量を増やすための処理について説明するためのフローチャートである。まず、ステップＳ３０１において、制御部１０８は、蓄積部１０６の残容量が十分にあるか否かを判定する。具体的には、録画対象の放送番組のＥＩＴをストリーム情報解析部１０３から取得し、録画対象の放送番組の時間情報、録画映像フォーマット、マルチ編成コンテンツであるか否か等の情報に基づいて、録画に必要な容量Ｃ＿ＲＥＣを算出する。なお、録画予約を実行する場合は、管理部１０９が、受信部１０１を介して受信した１週間分のＥＰＧ（電子番組表）データを保持しておく構成としてもよい。この場合、制御部１０８は、録画対象の放送番組のＥＩＴを管理部１０９から取得する。
【００２４】
制御部１０８は、管理部１０９から蓄積部１０６の残容量Ｃ＿ＶＡＣを取得し、算出した録画必要容量Ｃ＿ＲＥＣと残容量Ｃ＿ＶＡＣとを比較する。比較した結果、Ｃ＿ＲＥＣ＜Ｃ＿ＶＡＣの場合は、ステップＳ３１１に進んで、録画処理を実行するように制御する。一方、Ｃ＿ＲＥＣ＞Ｃ＿ＶＡＣの場合は、ステップＳ３０２に進む。
【００２５】
ステップＳ３０２において、制御部１０８は、蓄積部内の番組コンテンツの中からマルチ編成コンテンツを検索し、一つのマルチ編成コンテンツを選択する。具体的には、制御部１０８は、蓄積部内の各番組コンテンツのパーシャルＴＳを順次読み出して、ストリーム情報抽出部１０２に出力するように制御する。そして、ストリーム情報抽出部１０２は、読み出された各番組コンテンツのパーシャルＴＳからＴＳヘッダ情報およびセクション情報を抽出する。ストリーム情報解析部１０３は、抽出されたセクション情報に含まれるＳＩＴを解析し、コンポーネントグループ記述子に“コンポーネントグループタイプ＝０００”が記述されているか否かを識別する。制御部１０８は、ストリーム情報解析部１０３から解析結果を受け取り、“コンポーネントグループタイプ＝０００”が記述された番組コンテンツがある場合は、マルチ編成コンテンツがあると判定してステップＳ３０３に進む。一方、“コンポーネントグループタイプ＝０００”が記述された番組コンテンツがない場合は、マルチ編成コンテンツがないと判定してステップＳ３０８に進む。
【００２６】
ステップＳ３０３において、制御部１０８は、選択したマルチ編成コンテンツの番組名、およびメインチャンネル・サブチャンネルの内容をユーザに提示する。この提示画面において、制御部１０８は、選択したマルチ編成コンテンツのメインチャンネルのデータを残して、サブチャンネルのデータを消去するか否かをユーザに問い合わせる。ユーザがマルチ編成コンテンツのサブチャンネル消去を許可した場合、ステップＳ３０４からステップＳ３０５に進む。ユーザがマルチ編成コンテンツのサブチャンネル消去を許可しない場合、ステップＳ３０４からステップＳ３０８に進む。
【００２７】
ステップＳ３０５において、制御部１０８は、選択されたマルチ編成コンテンツのメインチャンネルのデータを抽出してサブチャンネルのデータを消去する動作を開始するように制御する。制御部１０８は、まずストリーム情報解析部１０３により解析されたパーシャルＴＳのＳＩＴから、メインチャンネルのＥＳを特定する。
【００２８】
図４は、マルチ編成コンテンツのＳＩＴの一例を示す図である。マルチ編成コンテンツのＳＩＴのコンポーネントグループ記述子には、“コンポーネントグループタイプ＝０００”が記述されている。メインチャンネルには、“コンポーネントグループＩＤ＝０ｘ０”が記述されている。他のコンポーネントグループＩＤを有するチャンネルはサブチャンネルである。制御部１０８は、“コンポーネントグループＩＤ＝０ｘ０”が記述されたメインチャンネル＜正面アングル＞に属する各ＥＳに割り当てられたタグ値を取得する。また、制御部１０８は、ストリーム情報解析部１０３により解析されたＰＭＴ（図２参照）を取得し、ＰＭＴに記述された各ＥＳのタグ値と、ＳＩＴに記述されたタグ値とを比較する。そして、メインチャンネル＜正面アングル＞に属する各ＥＳに割り当てられたタグ値“０ｘ００”“０ｘ１０”“０ｘ１１”“０ｘ３０”“０ｘ４０”に対応するＥＳ＿ＰＩＤ“０ｘ１６１”“０ｘ２３０”“０ｘ２３１”“０ｘ５１０”“０ｘ４５０”を特定する。これらの特定されたＥＳ＿ＰＩＤは、ストリーム情報解析部１０３からパケット抽出／チャンネル消去部１０４に通知される。
【００２９】
パケット抽出／チャンネル消去部１０４は、特定されたメインチャンネルのＥＳ＿ＰＩＤを有するＴＳパケットをマルチ編成コンテンツのパーシャルＴＳから抽出する。また、パケット抽出／チャンネル消去部１０４は、特定されたメインチャンネルのＥＳ＿ＰＩＤに対応するＰＡＴ，ＰＭＴ，ＳＩＴが記述されたＴＳパケットをマルチ編成コンテンツのパーシャルＴＳから抽出する。このパケット抽出／チャンネル消去部１０４は、サブチャンネルに対応する不要なデータを消去する。
【００３０】
次に、ステップＳ３０６において、録画用ストリーム作成部１０５は、抽出されたＴＳパケットからパーシャルＴＳを再構築する。このとき、録画用ストリーム作成部１０５は、ＳＩＴ内のコンポーネントグループ記述子の変更等を行い、抽出されたＴＳパケットを再度多重化する処理を行う。
【００３１】
ステップＳ３０７において、再構築されたパーシャルＴＳが蓄積部１０６に蓄積され、再構築前のマルチ編成コンテンツのデータは蓄積部１０６から消去される。その後、ステップＳ３０７からステップＳ３０１に戻り、蓄積部１０６の残容量が、録画対象の放送番組の録画に必要な容量よりも大きくなったか否かをチェックし、同様の動作を繰り返す。
【００３２】
ステップＳ３０２でマルチ編成コンテンツがないと判定された場合、およびステップＳ３０４でユーザがマルチ編成コンテンツのサブチャンネル消去を許可しなかった場合は、ステップＳ３０８に進む。ステップＳ３０８において、制御部１０８は、他の消去候補番組を提示する処理を実行する。他の消去候補番組を提示する処理とは、例えば、放送日時の古いコンテンツや、既に再生操作済み（視聴済み）のコンテンツを消去候補番組として提示する処理等、従来から提案されている方法である。
【００３３】
ステップＳ３０９において、提示した消去候補の番組コンテンツのデータを消去する指示をユーザから受けると、ステップＳ３１０に進む。制御部１０８は、指定された番組コンテンツを消去する処理を実行し、ステップＳ３０１に戻る。
【００３４】
以上のように、この実施の形態１によれば、録画済みのマルチ編成コンテンツに含まれる少なくとも一つチャンネルのコンテンツのデータを消去することによって、録画装置の空き容量を増やすことが可能となる。これにより、録画対象の放送番組の録画処理が実行可能となる。
【００３５】
なお、ここでは、蓄積部１０６の残容量が足りない場合に、残容量を増やすためにマルチ編成コンテンツを自動的に検索する例を挙げて説明したが、これに限定されるものではない、例えば、ユーザが残容量を増やすための操作をメニュー画面等から行った場合や、マルチ編成コンテンツを検索する操作をメニュー画面等から行った場合に、マルチ編成コンテンツを検索する構成であってもよい。
【００３６】
また、蓄積部１０６の残容量が足りない場合に、録画済みの番組コンテンツのリストを提示し、ユーザがリモコンを操作して、録画済みの複数の番組コンテンツの中からマルチ編成コンテンツを選択する構成であってもよい。例えば、図５に示すような録画済みの番組コンテンツのリストが提示され、マルチ編成コンテンツには、マルチ編成コンテンツであることを示すアイコンが表示される。例えば、この録画済みの番組コンテンツのリストの中からマルチ編成コンテンツのアイコンが表示された「番組１」を、ユーザがリモコンを操作することによって選択することができる。
【００３７】
また、メインチャンネルのデータを残してサブチャンネルのデータを消去する構成を例に挙げたが、リモコンを操作することにより、消去するチャンネルをユーザが任意に指定することができる構成であってもよい。また、単一のチャンネルのデータだけではなく、複数のチャンネルのデータを残すように指定できる構成であってもよい。また、サブチャンネルのデータを消去せずに、サブチャンネルの映像を低画質へ変換する構成であってもよい。
【００３８】
（実施の形態２）
実施の形態２では、蓄積部１０６の残容量が足りない場合に、録画済みの複数のマルチ編成コンテンツのリストをユーザに提示する方法について説明する。この実施の形態２に係る録画装置１００の構成は、図１に示したブロック図と同様であるため、説明は繰り返さない。
【００３９】
図６は、本発明の実施の形態２に係る蓄積部の残容量を増やすための処理について説明するためのフローチャートである。図６のステップＳ６０１，Ｓ６０５−Ｓ６１１は、図３のステップＳ３０１，Ｓ３０５−Ｓ３１１と同様である。この実施の形態２では、管理部１０９が、蓄積部１０６に蓄積されているマルチ編成コンテンツのリストを保持する。マルチ編成コンテンツを録画すると、ストリーム情報解析部１０３により解析された録画対象の番組に関する情報がマルチ編成コンテンツのリストに追加される。具体的には、制御部１０８は、ストリーム情報解析部１０３から解析結果を受け取り、“コンポーネントグループタイプ＝０００”が記述された番組コンテンツはマルチ編成コンテンツと判別し、マルチ編成コンテンツのリストに追加する。
【００４０】
ステップＳ６０２において、制御部１０８は、録画済みのマルチ編成コンテンツのリストがあるか否かを管理部１０９に問い合わせる。マルチ編成コンテンツのリストがある場合は、ステップＳ６０２からステップＳ６０３に進み、マルチ編成コンテンツのリストをユーザに提示する。
【００４１】
図７は、マルチ編成コンテンツのリストの一例を示す図である。制御部１０８は、蓄積部１０６内に複数のマルチ編成コンテンツが存在する場合、放送日時の古いコンテンツ順「番組Ａ」「番組Ｂ」「番組Ｃ」「番組Ｄ」に並べる。放送日時情報は、ストリーム情報解析部１０３により解析されたＥＩＴから取得できる。ただし、ＥＩＴではなくＳＩＴを取得する構成であってもよい。具体的には、制御部１０８が、蓄積部１０６内の各マルチ編成コンテンツのパーシャルＴＳを全て読み出し、ストリーム情報抽出部１０２が各番組コンテンツのパーシャルＴＳからＴＳヘッダ情報およびセクション情報を抽出する。ストリーム情報解析部１０３は、抽出されたセクション情報に含まれるＳＩＴを解析し、パーシャルＴＳタイム記述子を識別して放送日時常用を取得してもよい。
【００４２】
ステップＳ６０４において、制御部１０８は、デフォルトとして選択されたマルチ編成コンテンツ「番組Ａ」のメインチャンネルのデータを残して、サブチャンネルのデータを消去するか否かをユーザに問い合わせる。この提示画面では、放送日時の最も古いマルチ編成コンテンツである「番組Ａ」がデフォルトで選択されている。この提示画面において、ユーザはサブチャンネルのデータを消去する番組をリモコン操作で指定して、任意に選択することができる。例えば、放送日時に関係なく既に再生済みのマルチ編成コンテンツのサブチャンネルのデータを消去したい場合や、ユーザにとって重要度の低いマルチ編成コンテンツのサブチャンネルのデータを消去したい場合等も考えられるため、ユーザが任意に番組コンテンツを選択できる方が好ましい。また、ユーザは複数のマルチ編成コンテンツを一括して選択可能とし、複数のマルチ編成コンテンツのサブチャンネルのデータをまとめて消去できる構成とする。
【００４３】
続いて、ステップＳ６０５から、制御部１０８は、選択されたマルチ編成コンテンツのメインチャンネルのデータを抽出してサブチャンネルのデータを消去する動作を開始するように制御する。
【００４４】
以上のように、この実施の形態２では、蓄積部１０６の残容量が足りない場合に、蓄積部１０６内に複数のマルチ編成コンテンツがあれば、複数のマルチ編成コンテンツのリストをユーザに提示する。この提示画面において、複数のマルチ編成コンテンツのリストの中からサブチャンネルのデータを消去する番組コンテンツをユーザは任意に選択することができ、ユーザの使い勝手が向上する。また、複数のマルチ編成コンテンツのリストにおいて、放送日時の古いコンテンツ順に並べることによって、ユーザにとって重要度の低い番組が一目で分かる。
【００４５】
ただし、リストに表示するコンテンツの順番は、放送日時の古い順に限定されるものではなく、例えば、再生履歴の古いコンテンツ順に並べたものであってもよい。
【００４６】
なお、マルチ編成コンテンツのリストと、マルチ編成以外のコンテンツのリスト、例えば通常のシングルビューのコンテンツのリストとを、まとめて消去候補リストとして提示するようにしてもよい。シングルビューのコンテンツを消去する場合は、そのコンテンツの全データが消去される。
【００４７】
（実施の形態３）
実施の形態３では、マルチ編成コンテンツに含まれる複数のチャンネルのうちユーザにとって不要なチャンネルを判別してデータ消去する方法について説明する。この実施の形態３に係る録画装置１００の構成は、図１に示したブロック図と同様であるため、説明は繰り返さない。
【００４８】
図８は、本発明の実施の形態３に係る蓄積部の残容量を増やすための処理について説明するためのフローチャートである。図８のステップＳ７０１−Ｓ７０２，Ｓ７０６−Ｓ７１１は、図３のステップＳ３０１−Ｓ３０２，Ｓ３０６−Ｓ３１１と同様である。
【００４９】
ステップＳ７０３において、制御部１０８は、蓄積部１０６内の複数の番組コンテンツの中から検索して、選択したマルチ編成コンテンツの番組名、および各チャンネルの内容をユーザに提示する。管理部１０９にはユーザの嗜好情報としてキーワードが予め登録されており、制御部１０８は、管理部１０９から登録キーワードの情報を取得する。
【００５０】
図９は、ユーザの登録キーワードの一例を示す図である。例えば、ユーザがリモコンを操作して、嗜好情報としてキーワード「女優名Ｃ」「野球チームＧ」「番組名ＸＹＺ」を登録する。これらの登録キーワードは、管理部１０９にリスト形式のデータとして格納される。
【００５１】
制御部１０８は、取得した登録キーワードとマルチ編成コンテンツの各チャンネルの内容とを比較し、ユーザの嗜好度の高いチャンネルを特定する。制御部１０８は、マルチ編成コンテンツの各チャンネルに関する説明情報を取得し、該チャンネル説明情報と登録キーワードとの一致度の高いチャンネルを、ユーザの嗜好度の高いチャンネルとして特定する。具体的には、制御部１０８は、ストリーム情報解析部１０３により解析されたパーシャルＴＳのＳＩＴから、マルチ編成コンテンツの各チャンネルに関する説明情報を取得する。
【００５２】
図１０は、マルチ編成コンテンツのＳＩＴの一例を示す図である。マルチ編成コンテンツのＳＩＴのコンポーネントグループ記述子には、“コンポーネントグループタイプ＝０００”が記述されている。“コンポーネントグループＩＤ＝０ｘ０”のチャンネル説明情報として「メインチャンネル」と記述されている。また、“コンポーネントグループＩＤ＝０ｘ１”のチャンネル説明情報として「野球チームＧベンチ」と記述され、“コンポーネントグループＩＤ＝０ｘＦ”のチャンネル説明情報として「野球チームＴベンチ」と記述されている。
【００５３】
制御部１０８は、登録キーワード「野球チームＧ」との一致度が高い“コンポーネントグループＩＤ＝０ｘ１”のチャンネル（チャンネル説明情報「野球チームＧベンチ」）を、ユーザの嗜好度の高いチャンネルとして特定する。制御部１０８は、提示画面において、指定されたマルチ編成コンテンツの嗜好度の高いチャンネルのデータを残して、他のチャンネルのデータを消去するか否かをユーザに問い合わせる。ただし、この提示画面において、リモコンを操作することにより、残すチャンネルと消去するチャンネルをユーザが任意に指定することができるものとする。また、単一のチャンネルのデータだけではなく、複数のチャンネルのデータを残すように指定できる構成であってもよい。
【００５４】
指定されたチャンネルのデータ消去をユーザが許可した場合、ステップＳ７０４からステップＳ７０５に進む。指定されたチャンネルのデータ消去をユーザが許可しない場合、ステップＳ７０４からステップＳ７０８に進む。
【００５５】
ステップＳ７０５において、制御部１０８は、選択されたマルチ編成コンテンツの指定されたチャンネルのデータを抽出して、他のチャンネルのデータを消去する動作を開始するように制御する。まず、ストリーム情報解析部１０３により解析されたＳＩＴから、指定されたチャンネルのＥＳを特定する。具体的には、“コンポーネントグループＩＤ＝０ｘ１”が記述されたチャンネル「野球チームＧベンチ」に属する各ＥＳに割り当てられたタグ値を取得する。また、制御部１０８は、ストリーム情報解析部１０３により解析されたＰＭＴ（図２参照）を取得し、ＰＭＴに記述された各ＥＳのタグ値と、ＳＩＴに記述されたタグ値とを比較する。そして、チャンネル「野球チームＧベンチ」に属する各ＥＳに割り当てられたタグ値“０ｘ０１”“０ｘ１１”“０ｘ１３”“０ｘ３１”に対応するＥＳ＿ＰＩＤ“０ｘ１６２”“０ｘ２３１”“０ｘ２３２”“０ｘ５１１”を特定する。これらの特定されたＥＳ＿ＰＩＤは、ストリーム情報解析部１０３からパケット抽出／チャンネル消去部１０４に通知される。
【００５６】
パケット抽出／チャンネル消去部１０４は、チャンネル「野球チームＧベンチ」のＥＳ＿ＰＩＤを有するＴＳパケットをマルチ編成コンテンツのパーシャルＴＳから抽出する。また、パケット抽出／チャンネル消去部１０４は、チャンネル「野球チームＧベンチ」のＥＳ＿ＰＩＤに対応するＰＡＴ，ＰＭＴ，ＳＩＴが記述されたＴＳパケットをマルチ編成コンテンツのパーシャルＴＳから抽出する。このパケット抽出／チャンネル消去部１０４は、チャンネル「メインチャンネル」「野球チームＴベンチ」に対応する不要なデータを消去する。ステップＳ７０６以降の動作については、実施の形態１において図３で説明した動作と同様であるため、説明は繰り返さない。
【００５７】
以上のように、この実施の形態３では、マルチ編成コンテンツに含まれる複数のチャンネルのうちユーザにとって不要なチャンネル（嗜好度の低いチャンネル）を判別して、データ消去することが可能になる。
【図面の簡単な説明】
【００５８】
【図１】本発明の実施の形態１に係る録画装置の概略構成を示すブロック図である。
【図２】マルチ編成コンテンツのＰＭＴの一例を示す図である。
【図３】図１に示した蓄積部の残容量を増やすための処理について説明するためのフローチャートである。
【図４】マルチ編成コンテンツのＳＩＴの一例を示す図である。
【図５】録画済み番組コンテンツのリストを示す図である。
【図６】本発明の実施の形態２に係る蓄積部の残容量を増やすための処理について説明するためのフローチャートである。
【図７】マルチ編成コンテンツのリストの一例を示す図である。
【図８】本発明の実施の形態３に係る蓄積部の残容量を増やすための処理について説明するためのフローチャートである。
【図９】ユーザの登録キーワードの一例を示す図である。
【図１０】マルチ編成コンテンツのＳＩＴの一例を示す図である。
【符号の説明】
【００５９】
１００  録画装置
１０１  受信部
１０２  ストリーム情報抽出部
１０３  ストリーム情報解析部
１０４  パケット抽出／チャンネル消去部
１０５  録画用ストリーム作成部
１０６  蓄積部
１０７  リモコン受光部
１０８  制御部
１０９  管理部
【図１】
2010124221.tif 000003
【図２】
2010124221.tif 000004
【図３】
2010124221.tif 000005
【図４】
2010124221.tif 000006
【図５】
2010124221.tif 000007
【図６】
2010124221.tif 000008
【図７】
2010124221.tif 000009
【図８】
2010124221.tif 000010
【図９】
2010124221.tif 000011
【図１０】
2010124221.tif 000012